(57)【要約】【課題】情報表示機能を担うＬＥＤマトリックスの大きさをこれまで同様に優先しながら装飾表示部の発光表示面積を大幅に拡大し、優れた装飾表示効果を備えた表示装置を提供する。【解決手段】伝達情報を表示する情報表示部の周りに装飾表示部を設け、更にその周囲を光反射面を備えた枠体で取り囲み、装飾表示部から照射される光を光反射面によって表示装置の表示方向へ反射する。また、装飾表示部に配列するＬＥＤの発光先端を、周囲に設けられる枠体の光反射面に向ける。【選択図】図１
2005301163.tif 000002
【特許請求の範囲】
【請求項１】
ＬＥＤを複数配置してなる表示装置において、
所定形状に配列した複数のＬＥＤを点滅して文字、絵記号等からなる伝達情報を表示する情報表示部と、
該情報表示部の周囲あるいは近傍に複数のＬＥＤを配置し、各ＬＥＤを所定の発光順序で点滅して装飾発光表示を行う装飾表示部と、
前記情報表示部および装飾表示部で構成する発光表示面の周囲を取り囲む枠体とを備え、
前記枠体は光反射面を備え、前記装飾表示部のＬＥＤから枠体に向けて照射される光を表示装置の表示方向へ反射することを特徴とする表示装置。
【請求項２】
請求項１記載の表示装置において、前記装飾表示部を構成するＬＥＤの先端を前記枠体の光反射面に向けたことを特徴とする表示装置。
【請求項３】
請求項１または２何れか記載の表示装置において、前記情報表示部および前記装飾表示部で構成する発光表示面とその周囲を取り囲む枠体との間に所定幅の余地を設け、この余地に装飾表示部のＬＥＤから照射される光を拡散する光拡散板を取り付けたことを特徴とする表示装置。
【請求項４】
請求項１乃至３何れか記載の表示装置において、前記枠体の光反射面に前記装飾表示部のＬＥＤから照射される光を拡散する光拡散加工を施すことを特徴とする表示装置。
【発明の詳細な説明】
【技術分野】
【０００１】
本発明は、ＬＥＤ（発光ダイオード）等の発光体をプリント基板上に複数配し、各発光体を選択的に発光させることで文字、図形、記号、模様等を表示する装置に関するもので、特に、専ら装飾発光を行うＬＥＤを備え、情報表示機能とは別に装飾発光機能を備えた装置に関する。
【背景技術】
【０００２】
従来、ＬＥＤをプリント基板上に複数配置し、選択的に点滅駆動することで文字・画像等を発光表示する電光表示装置が知られている。それら装置の多くは、店先や往来といった人通りのある場所に設置され、営業案内や集客のためのキャッチフレーズを発光表示するのに利用されており、注目効果を高めるために文字等を表示する情報表示部の周囲に各種点滅で装飾発光を行う装飾表示部を設け、通行人の注意を引くようにした装置が主流になっている。
【０００３】
例えば、下記特許文献１では、データ表示部（情報表示部）と装飾表示部とを備えた表示部の前面に透光性素材からなる表面板を配し、装飾表示部の前面に配される表面板に回折格子板を用いた表示器が開示されており、装飾表示部が光源の周りに回折像が幾重にも点在するような発光表示を行うことで注意喚起力を高めている。
【０００４】
また、特許文献２では、所定間隔で所定形状に配したＬＥＤを光拡散板で覆った表示装置が開示されており、点発光するＬＥＤからの光を光拡散板によってＬＥＤが並べられた方向へ拡散させ、光を直線状または曲線状として表示させている。
【特許文献１】特開２００３−２５５８６６号
【特許文献２】特開２００３−２８０５３４号
【発明の開示】
【発明が解決しようとする課題】
【０００５】
特許文献１、特許文献２をはじめとするこれまでの表示装置では、情報表示部の周囲に装飾表示部を設け、さらにその周りを発光には関与しない金属製や樹脂製の枠で取り囲む構成であった。表示装置本体の中にあって、発光表示画面を額縁状に縁取る枠はいっさい光を放つことはなく、あくまでも枠は本体ケースの一部という位置づけである。表示装置を正面より見ると、所定の厚みを持った金属枠（多くはアルミ材）で囲まれた空間に、金属枠の内側から所定距離を置いてＬＥＤマトリックスが配置され、このＬＥＤマトリックスと金属枠との間の余地に装飾表示部が設けられていた。情報表示部と装飾表示部の面積のバランスは、情報表示機能と装飾表示機能のどちらを優先するかによって決定されるものであるが、多くの場合は情報表示機能を優先してＬＥＤマトリックスをできるだけ大きくしている。したがって装飾表示部は、ＬＥＤマトリックスと枠との間に形成された僅かなスペースの中で装飾表示を行わざるを得ず、装飾表示効果を高めようにも絶対的なスペース不足の中では限界があった。
【０００６】
本発明は上記のような問題点を解決することを課題としており、情報表示機能を担うＬＥＤマトリックスの大きさをこれまで同様に優先しながら、装飾表示部の発光表示面積を大幅に拡大した表示装置を提供することを目的としている。
【課題を解決するための手段】
【０００７】
本発明は、上記課題を解決するために、請求項１記載の表示装置では、ＬＥＤを複数配置してなる表示装置において、所定形状に配列した複数のＬＥＤを点滅して文字、絵記号等からなる伝達情報を表示する情報表示部と、該情報表示部の周囲あるいは近傍に複数のＬＥＤを配置し、各ＬＥＤを所定の発光順序で点滅して装飾発光表示を行う装飾表示部と、前記情報表示部および装飾表示部で構成する発光表示面の周囲を取り囲む枠体とを備え、前記枠体は光反射面を備え、前記装飾表示部のＬＥＤから枠体に向けて照射される光を表示装置の表示方向へ反射することを特徴としている。
【０００８】
また、請求項２に記載の表示装置は、請求項１記載の表示装置において、装飾表示部を構成するＬＥＤの先端を前記枠体の光反射面に向けたことを特徴としている。
【０００９】
また、請求項３に記載の表示装置は、請求項１または２何れか記載の表示装置において、情報表示部および装飾表示部で構成する発光表示面とその周囲を取り囲む枠体との間に所定幅の余地を設け、この余地に装飾表示部のＬＥＤから照射される光を拡散する光拡散板を取り付けたことを特徴としている。
【００１０】
また、請求項４に記載の表示装置は、請求項１乃至３何れか記載の表示装置において、枠体の光反射面に装飾表示部のＬＥＤから照射される光を拡散する光拡散加工を施すことを特徴としている。
【発明の効果】
【００１１】
請求項１記載の発明によれば、情報表示部の周りに装飾表示部を設け、更にその周囲を光反射面を備えた枠体で取り囲み、装飾表示部から照射される光を光反射面によって表示方向へ反射するようにしている。したがって、これまでの装置ではそれ自身発光することのなかった枠体を、装飾光を放つ発光体として活用することが可能になり、情報表示部のサイズをできるだけ大きくしながら装飾表示を行うスペースを十分確保し高い装飾表示効果を得ることができる。また、装飾表示部の光を直接光ではなく反射光として視認させることができ、ＬＥＤ特有のぎらつき感を緩和して柔らかな印象の装飾表示を行うことができる。
【００１２】
請求項２記載の発明によれば、装飾表示部に配列するＬＥＤの先端を、周囲に設けられる枠体の光反射面に向けている。したがって、ＬＥＤから照射される光を表示方向へ効率良く反射させることができるだけでなく、ＬＥＤから照射された光の一部によってＬＥＤから光反射面へ至る箇所を照らすことができる。そして、表示装置を正面から見たときに枠体の光反射面で視認される疑似的な発光源による光と、その疑似発光源とＬＥＤとの間の箇所を間接的に照らした光とで優れた装飾表示効果を得ることができる。
【００１３】
請求項３記載の発明によれば、情報表示部の周りに設けた装飾表示部と、その装飾表示部の周囲を取り囲む枠体との間に所定幅の余地を設け、この余地に装飾表示部のＬＥＤから照射される光を拡散する光拡散板を取り付けた。このような構造により、装飾表示部のＬＥＤから枠体の光反射面に向けて照射された光の一部が光拡散板にあたって拡散され、表示装置を正面から見たときに、枠体の光反射面に現れる光の点（ＬＥＤの光を反射してできる疑似的な発光源）と装飾表示部のＬＥＤとの間にわたって発光する連続した線状の光を視認させることができ、より優れた装飾表示効果が得られる。
【００１４】
請求項４記載の発明によれば、装飾表示部のＬＥＤから枠体に向けて照射された光を、枠体の光反射面に施した光拡散加工によって拡散させながら表示方向へ反射する。したがって、表示装置を正面から見たときに枠体の光反射面に現れる光が、点状ではなく広がった光として視認され、広い発光面積と優れた装飾表示効果を得ることができる。
【発明を実施するための最良の形態】
【００１５】
以下、本発明による好適な実施形態を図面を参照しながら説明する。
【実施例】
【００１６】
図１は本発明の一実施例を正面より見た外観説明図である。２は情報表示部で、ＬＥＤ２ａを縦１６個、横１６個ドットマトリックス状に配列して１文字表示分の単位パネルを構成し、配列した各ＬＥＤを選択的に点滅することで任意の文字、絵記号、図柄等を表示可能にしている。本実施例では、１文字表示分の単位パネルを縦方向に４枚並べ、横１６ドット、縦６４ドットの連続したドットマトリックスを形成している。３は装飾表示部で、装飾表示用のＬＥＤ３ａを情報表示部２の周囲を取り囲むように配置して構成している。このとき、ＬＥＤ３ａのモールドレンズ頂部（ＬＥＤの先端）が、ＬＥＤ３ａを配置するプリント基板の面に対してほぼ平行な方向を向くように固定している。４は光拡散板で、細長い短冊形状をなす板状部材を装飾表示部３の周囲に配置し、その表面には長手方向に対して平行に複数の溝を形成している。この溝が形成される方向と、上記ＬＥＤ３ａの先端が向けられる方向とは略直交する関係にあり、ＬＥＤ３ａを発光させた際にその光が光拡散板４の短手方向へ拡散し、１本の光の線が光拡散板を短手方向へ横切るように視認される。５は枠体で、アルミニウム等の金属材料からなり、光拡散板４の周囲を取り囲んで表示装置本体１の筐体を形作っている。
【００１７】
次に、図２を基にして本発明に係る表示装置の断面構造について説明する。図２は図１中のＡ−Ａ断面を示している。情報表示部を構成するＬＥＤ２ａは、モールドレンズ頂部（ＬＥＤの先端）を表示装置１の表示方向へ向けて固定されており、一点鎖線の矢印で示すように明るさ強度のピークを表示装置の正面に向けている。装飾表示部を構成するＬＥＤ３ａは、モールドレンズ頂部を枠体５の方向へ向け、プリント基板７の部品マウント面より所定距離を置いた高さ位置に固定されている。光拡散板４は、光を拡散させるために複数の溝を形成した面が、ＬＥＤ３ａの指向角半値幅に収まるような位置関係でプリント基板７の表面に取り付けられている。そして、プリント基板７はスペーサー８を介して内部フレーム６に固定されている。枠体５は、装飾表示部３のＬＥＤ３ａと向き合う面に光反射面５ａが形成されており、一点鎖線で示すＬＥＤ３ａの明るさ強度のピークが光反射面５ａで反射されて表示装置の正面に向くような角度を具備し、反射面にはＬＥＤ３ａの光を効率よく反射するための磨き処理が施されている。９はアクリル等の透明材料からなる表示カバーであり、情報表示部２、装飾表示部３、光拡散板４を搭載する基板７全体を覆い、枠体５の光反射面を備えた端部において、シール部材を介して固定されている。
【００１８】
次に、図３、図４を基にして装飾表示部３を発光表示させた際の発光イメージを説明する。図３に示すように、ＬＥＤ３ａを点灯すると、ＬＥＤ３ａから照射された光はそのほとんどが光反射面５ａで反射して表示方向へと向けられる。このとき光反射面５ａにはＬＥＤ３ａの先端と正対する部分に最も光が集中し、表示装置を正面から見ると、この部分を中心にして光が放たれているかのような疑似発光源が認識される。また、ＬＥＤ３ａから照射された光の一部は光拡散板４を照らし、光拡散板４に複数形成された溝の頂部付近で光が拡散して明るさ強度の高い部分が複数の溝にわたって現れる。光拡散板４を照らす光は、ＬＥＤ３ａの指向角半値幅に含まれる光であるため明るさ強度が比較的高く、表示装置を正面から見たときにＬＥＤ３ａと疑似発光源との間の点線で囲んだ箇所付近（図３）に線状につながった光の線が視認される。図４に示すように、表示装置１を正面から見ると、枠体５に装飾ＬＥＤ３ａの光を反射してできる疑似的な発光源が現れ、その内側には疑似発光源に向かって放射状に広がる光の線が確認される。
【００１９】
本発明は以上のように構成されるものであるが、上記実施例に限定されるものではない。例えば、光拡散板４において光を拡散させるための構造は、複数の溝を形成するタイプの他にも、菱形状の突起を複数設けたダイヤモンドカットタイプ、シリンドリカルレンズを複数形成するタイプなど種々の方式を採用することができる。要は装飾表示部から照射された光を拡散させ、装飾表示効果を向上させるものであれば良い。また、枠体に形成する光反射面には磨き処理や鏡面処理といった平滑処理を施す他に、無数の微細な線模様を刻むヘアライン処理を施したり、格子状の溝を刻んだり、といった光拡散処理を施してもよい。また、装飾表示部と枠体との間に必ずしも光拡散板を設ける必要はなく、所定幅の余地を設けることなく装飾表示部を枠体に隣接して設けても良い。
【図面の簡単な説明】
【００２０】
【図１】本発明実施例に係る表示装置を正面より見た外観説明図である。
【図２】本発明実施例に係る表示装置の断面構造を示す説明図である。
【図３】本発明実施例に係る表示装置の発光イメージを示す説明図である。
【図４】本発明実施例に係る表示装置の発光イメージを正面より示した説明図である。
【符号の説明】
【００２１】
１    表示装置本体
２    情報表示部
３    装飾表示部
４    光拡散板
５    枠体
５ａ  光反射面
６    内部フレーム
７    プリント基板
９    表示カバー
【図１】
2005301163.tif 000003
【図２】
2005301163.tif 000004
【図３】
2005301163.tif 000005
【図４】
2005301163.tif 000006